(57)【要約】【課題】安価な構成で、電磁ノイズの発生を防止するとともに、ヒータ線の配設パターンの自由度を増すこと。【解決手段】ヒータ線２２の一部に第１発熱線２９と第２発熱線３１を接続する接続部を設けて、ヒータ線２２内の第１発熱線２９と第２発熱線３１に逆方向の電流を流して電磁ノイズの発生が防止すると共に、接続部はヒータ線２２に固定する構成と接続固定金具３５を配設している。これによって、接続部はヒータ線２２のどこの位置でも設けることができるようになり、ヒータ線２２の配設パターンの自由度を増すことができる。【選択図】図１
2006079835.tif 000002
【特許請求の範囲】
【請求項１】
第１発熱線と絶縁体を介して配設した第２発熱線を内部に有するヒータ線と、前記ヒータ線を配設した暖房器本体と、前記ヒータ線の第１発熱線と第２発熱線に通電する制御部とを備えた電気暖房器において、前記第１発熱線の通電により発生する磁界と、前記第２発熱線の通電により発生する磁界とが互いに打ち消す方向に通電されるように、前記ヒータ線の一部に前記第１発熱線と前記第２発熱線を接続する接続部を設けるとともに、前記接続部をヒータ線に固定する接続固定金具を配設した電気暖房器。
【請求項２】
ヒータ線の端部の第１発熱線と第２発熱線を折り返して重ねるとともに、前記第１発熱線と前記第２発熱線を折り返してできる接続部を接続固定金具で周囲からかしめるようにして前記ヒータ線に固定する請求項１記載の電気暖房器。
【請求項３】
ヒータ線の第１発熱線と第２発熱線の接続部を半田付けして接合した請求項１又は２記載の電気暖房器。
【請求項４】
接続固定金具の周囲に絶縁体の保護被覆を配設した請求項１、２又は３記載の電気暖房器。
【発明の詳細な説明】
【技術分野】
【０００１】
本発明は、ヒータ線を巻回して形成したヒータ線を暖房器本体に配設し、該ヒータ線への通電を制御して暖房を行う電気暖房器の電磁ノイズ防止策に関するものである。
【背景技術】
【０００２】
従来、この種の電気暖房器は、断熱性の良いフェルト等の裏布にヒータ線及び感熱体が蛇行状に配設させ、この裏布にタクトされた表布を接着固定して暖房器本体が形成されている。この暖房器本体の角部にコントローラが設けられ、このコントローラに上記ヒータ線への通電を制御して暖房器本体の表面温度を設定温度に制御するようになっている（例えば、特許文献１参照）。
【０００３】
図５、図６、図７は、特許文献１に記載された従来の電気暖房器における例を示す電気カーペットである。図５、図６に示すように、断熱性の良い素材（例えばポリエステルのフェルト等）からなる裏布１上に、通電により発熱するヒータ線２とヒータ線２の温度を検知する感熱体３とを蛇行状に配設し、このヒータ線２及び感熱体３の上からハードニーパンやタフト生地等からなる表布４を接着固定し、この全周縁をオーバーロック縫製してカーペット本体５を形成している。
【０００４】
このカーペット本体５の角部に、上記感熱体３の検知温度によって上記ヒータ線２への通電を制御する制御回路６を有したコントローラ７を設けている。
【０００５】
上記ヒータ線２は、ポリエステル等からなる芯材８に銅合金でなる第１発熱線９を螺旋状に巻回し、該第１発熱線９をポリイミド等のピンホールのない耐熱絶縁体１０で被覆し、該耐熱絶縁体１０に第１発熱線９と同様の第２発熱線１１を螺旋状に巻回し、該第２発熱線１１を異常な温度上昇による過熱が生じた場合に融解する融解層１２で被覆し、該融解層１２に当該融解層１２の融解により上記第２発熱線１１と短絡して安全装置を動作させる検知線１３を螺旋状に巻回し、該検知線１３を耐熱塩ビ等からなる絶縁用外被１４で被覆して形成している。
【０００６】
そして、上記第１発熱線９の一端をコントローラ７の制御回路６に接続し、該第１発熱線９の他端を第２発熱線１１の一端に該コントローラ７内で接続し、該第２発熱線１１の他端を上記制御回路６に接続し、検知線１３及び感熱体３を上記制御回路６に接続している。上記第１発熱線９と第２発熱線１１との接続点を折り返し点として接続しているから、通電が行われると電流が第１発熱線９を流れて接続点から返って第２発熱線１１に流れ、常に第１発熱線９と第２発熱線１１には逆方向の電流が流れる。
【０００７】
上記構成の電気カーペットの動作を説明すると、制御回路６から第１発熱線９及び第２発熱線１１に通電を行い、該第１発熱線９及び第２発熱線１１が発熱して温度が上昇するとこの温度を感熱体３が検知し、この感熱体３の検知信号に基づいて上記制御回路６が上記第１発熱線９及び第２発熱線１１への通電を制御して所望の温度での暖房を行う。
【０００８】
このとき、上記第１発熱線９と第２発熱線１１に逆方向の電流が流れているので、該第１発熱線９と第２発熱線１１が発生する磁界が逆になり、互いに打ち消しあって電磁ノイズの発生を防止している。
【特許文献１】特開平４−２７８１２５号公報
【発明の開示】
【発明が解決しようとする課題】
【０００９】
しかしながら、前記従来の構成では、コントローラ７内に設けた第１発熱線９と第２発熱線１１との接続点である折り返し点をコントローラ７内に設けているため、上記コントローラ７内の接続点となる構成が必要であり、例えば図７に示すようにコントローラ７の制御回路６の一部に第１発熱線９と第２発熱線１１を短絡する短絡回路を設け、第１発熱線９と第２発熱線１１をそれぞれ短絡回路に半田等で接続する必要があり、構成が複雑になり、加工費等が嵩むようになる。
【００１０】
また、コントローラ７内から裏布１上に配設されたヒータ線２は、コントローラ７内に接続点を設けているため、再び、コントローラ７内に戻されなければならず、ヒータ線２の配設は閉回路パターンとなり、ヒータ線２の配設パターンが規制されるという課題もあった。
【００１１】
本発明は、上記課題を鑑みてなされたものであり、暖房器本体に配設されたヒータ線の発熱線から発生する磁界を、簡単に安価な構成で互いに打ち消すようにして電磁ノイズによる悪影響を防止するとともに、発熱線の配設パターンの自由度を増すことを目的とするものである。
【課題を解決するための手段】
【００１２】
前記課題を解決するために、絶縁体を介して配設した第１発熱線と第２発熱線をその内部に有するヒータ線と、前記ヒータ線を配設した暖房器本体と、前記ヒータ線の第１発熱線と第２発熱線に通電する制御部とを備えた電気暖房器において、前記第１発熱線の通電により発生する磁界と、第２発熱線の通電により発生する磁界とが互いに打ち消す方向に通電されるように、ヒータ線の一部に第１発熱線と第２発熱線を接続する接続部を設けるとともに、接続部をヒータ線に固定する接続固定金具を配設してある。
【００１３】
上記した構成によって、前記第１発熱線の通電により発生する磁界と、第２発熱線の通電により発生する磁界とが互いに打ち消す方向に通電されるように、ヒータ線の一部に第１発熱線と第２発熱線を接続する接続部を設けてあるので、ヒータ線内の第１発熱線と第２発熱線に逆方向の電流を流すことができ、該第１発熱線と第２発熱線が発生する磁界が逆になり、互いに打ち消しあって電磁ノイズの発生を防止される。そして接続部はヒータ線に固定する構成と接続固定金具を配設してあるので、接続部はヒータ線のどこの位置でも設けることができるようになり、ヒータ線の配設パターンの自由度を増すことができるようになる。
【発明の効果】
【００１４】
本発明の電気暖房器は、暖房器本体に配設されたヒータ線の発熱線から発生する磁界を、互いに打ち消すようにして電磁ノイズによる悪影響を防止するとともに、発熱線の配設パターンの自由度を増すことができるようになり、加工工程が簡単になるとともに、加工時の課題が解消されるようになり、生産性の向上が図れ、簡単な構成で安価にできるようになる。
【発明を実施するための最良の形態】
【００１５】
第１の発明は、絶縁体を介して配設した第１発熱線と第２発熱線をその内部に有するヒータ線と、前記ヒータ線を配設した暖房器本体と、前記ヒータ線の第１発熱線と第２発熱線に通電する制御部とを備えた電気暖房器において、前記第１発熱線の通電により発生する磁界と、前記第２発熱線の通電により発生する磁界とが互いに打ち消す方向に通電されるように、前記ヒータ線の一部に第１発熱線と第２発熱線を接続する接続部を設け、前記接続部はヒータ線に固定する構成と接続固定金具を配設した構成としてある。
【００１６】
そして、前記第１発熱線の通電により発生する磁界と、第２発熱線の通電により発生する磁界とが互いに打ち消す方向に通電されるように、ヒータ線の一部に第１発熱線と第２発熱線を接続する接続部を設けてあるので、ヒータ線内の第１発熱線と第２発熱線に逆方向の電流を流すことができ、該第１発熱線と第２発熱線が発生する磁界が逆になり、互いに打ち消しあって電磁ノイズの発生を防止される。そして接続部はヒータ線に固定する構成と接続固定金具を配設してあるので、接続部はヒータ線のどこの位置でも設けることができるようになり、ヒータ線の配設パターンの自由度を増すことができ、加工時の課題が解消されるようになり、生産性の向上が図れ、簡単な構成で安価にできるようになる。
【００１７】
第２の発明は、特に第１の発明のヒータ線の端部の第１発熱線と第２発熱線を折り返して重ねるとともに、第１発熱線と第２発熱線を折り返してできる接続部を接続固定金具で周囲からかしめるように構成しヒータ線に固定する構成としてある。
【００１８】
そして、第１発熱線と第２発熱線を折り返してできる接続部を接続固定金具で周囲からかしめるように構成しヒータ線に固定する構成としてあるので、簡単な構成で、第１発熱線と第２発熱線の接続と、この接続部をヒータ線に固定することが確実に同時にできるようになり、より生産性の向上が図れ、簡単な構成で安価にできるようになる。
【００１９】
第３の発明は、特に、第１〜第２の発明のいずれか１つの発明のヒータ線の第１発熱線と第２発熱線の接続部を半田付けして接合する構成としてある。
【００２０】
そして、ヒータ線の第１発熱線と第２発熱線の接続部を半田付けして接合してあるので、第１発熱線と第２発熱線の接続が半田付けでより確実にできるようになる。
【００２１】
第４の発明は、特に、第１〜第３の発明のいずれか１つの発明の接続固定金具の周囲に絶縁体の保護被覆を配設した構成としてある。
【００２２】
そして、接続固定金具の周囲に絶縁体の保護被覆を配設してあるので、接続部と周囲との絶縁が確保されるようになり、接続部をどこの位置にも配置できるようになり、自由度を増すことができるようになる。
【００２３】
以下、本発明の実施の形態について、図面を参照しながら説明する。なお、この実施の形態によって本発明が限定されるものではない。
【００２４】
（実施の形態１）
図１〜図４は、本発明の実施の形態１における電気暖房器の概略構成図を示し、図１は概略平面図、図２（ａ）は部拡大上面図、図２（ｂ）は要部拡大側面図、図３は要部構成図、図４は制御ブロック図である。
【００２５】
図１において、断熱性の良い素材（例えばポリエステルのフェルト等）からなる裏布２１上に、通電により発熱するヒータ線２２とカーペットの温度（ヒータ線２２の温度）を検知する感熱体２３とを蛇行状に配設し、このヒータ線２２及び感熱体２３の上からハードニーパンやタフト生地等からなる表布２４を接着固定し、この全周縁をオーバーロック縫製してカーペット本体２５を形成している。このカーペット本体２５の角部に、上記感熱体２３の検知温度によって上記ヒータ線２２への通電を制御する制御回路２６を有したコントローラ２７を設けている。
【００２６】
上記ヒータ線２２は、ポリエステル等からなる芯材２８に銅合金でなる第１発熱線２９を螺旋状に巻回し、該第１発熱線２９をポリイミド等のピンホールのない耐熱絶縁体３０で被覆し、該耐熱絶縁体３０に第１発熱線２９と同様の第２発熱線３１を螺旋状に巻回し、該第２発熱線３１を異常な温度上昇による過熱が生じた場合に融解（１７０℃前後で融解）する融解層３２で被覆し、該融解層３２に当該融解層３２の融解により上記第２発熱線３１と短絡して安全装置を動作させる検知線３３を螺旋状に巻回し、該検知線３３を耐熱塩ビ等からなる絶縁用外被３４で被覆して形成している。
【００２７】
そして、上記ヒータ線２２の片端側の第１発熱線２９と第２発熱線３１と検知線３３及び感熱体２３のそれぞれをコントローラ２７の制御回路２６に接続し、ヒータ線２２のもう一方の片端側は、第１発熱線２９と第２発熱線３１の一端を折り返してヒータ線２２の絶縁用外被３４に接続固定金具３５で周囲からかしめて接続固定するとともに、その接続固定金具３５でかしめられた第１発熱線２９と第２発熱線３１の接続部を半田付け３６して接続固定し、かつ、この接続固定金具３５周囲に絶縁性の保護被覆３７を配設してある。
【００２８】
そしてまた、上記第１発熱線２９と第２発熱線３１との接続部を折り返し点として接続しているから、通電が行われると電流が第１発熱線２９を流れて接続部から返って第２発熱線３１に流れ、常に第１発熱線２９と第２発熱線３１には逆方向の電流が流れるようになっている。
【００２９】
上記構成の電気カーペットの動作を説明すると、制御回路２６から第１発熱線２９及び第２発熱線３１に通電を行い、該第１発熱線２９及び第２発熱線３１が発熱して温度が上昇するとこの温度を感熱体２３が検知し、この感熱体２３の検知信号に基づいて上記制御回路２６が上記第１発熱線２９及び第２発熱線３１への通電を制御して所望の温度での暖房を行う。
【００３０】
このとき、前記第１発熱線２９に通電により発生する磁界と、第２発熱線３１に通電により発生する磁界とが互いに打ち消す方向に通電されるように、ヒータ線２２の一部に第１発熱線２９と第２発熱線３１を接続固定金具３５で周囲からかしめて接続固定する接続部を設けてあるので、ヒータ線２２内の第１発熱線２９と第２発熱線３１に逆方向の電流を流すことができ、該第１発熱線２９と第２発熱線３１が発生する磁界が逆になり、互いに打ち消しあって電磁ノイズの発生を防止される。そして第１発熱線２９と第２発熱線３１の接続部は、ヒータ線２２に固定する構成と接続固定金具３５を配設してあるので、接続部はヒータ線２２のどこの位置でも設けることができるようになり、ヒータ線２２の配設パターンの自由度を増すことができ、加工時の課題が解消されるようになり、生産性の向上が図れ、簡単な構成で安価にできるようになる。
【００３１】
また、第１発熱線２９と第２発熱線３１の接続部で折り返してヒータ線２２に固定する構成と接続固定金具３５で周囲からかしめるようにしてあるので、簡単な構成で、第１発熱線２９と第２発熱線３１の接続と、この接続部をヒータ線２２に固定することが確実に同時にできるようになる。
【００３２】
さらに、接続固定金具３５でかしめられた第１発熱線２９と第２発熱線３１の接続部を半田付け３６して接続固定してあるので、第１発熱線２９と第２発熱線３１の接続が半田付け３６で、接続固定金具３５のかしめバラツキなどの要因がなくなりより確実に接続固定できるようになる。
【００３３】
そして、接続固定金具３５周囲に絶縁性の保護被覆３７を配設してあるので、接続部と周囲との絶縁されるようになり、接続部をどこの位置にも配置できるようになり、自由度を増すことができるようになる。
【００３４】
なお、上記実施の形態１では、接続固定金具３５でかしめられた第１発熱線２９と第２発熱線３１の接続部を半田付け３６して接続固定する構成としたが、これは接続固定金具３５に半田付けして接続固定するようにしてもよく、また第１発熱線２９と第２発熱線３１の接続部のみを半田付けするようにしてもよく、その他各部の構成も本発明の目的を達成する範囲であればその構成はどのようなものであってもよい。
【産業上の利用可能性】
【００３５】
以上のように、本発明は配設されたヒータ線の発熱線から発生する磁界を、簡単に安価な構成で互いに打ち消すようにして電磁ノイズによる悪影響を防止するとともに、ヒータ線の配設パターンの自由度を増すことができるので、ヒータ線を巻回して構成する主に電気カーペット等の電気暖房器等の用途にも適用できる。
【図面の簡単な説明】
【００３６】
【図１】本発明の実施の形態１における電気暖房器の概略平面図
【図２】（ａ）同電気暖房器の要部拡大上面図（ｂ）同電気暖房器の要部拡大側面図
【図３】同電気暖房器の要部構成図
【図４】同電気暖房器の制御ブロック図
【図５】従来の電気暖房器の概略平面図
【図６】同従来の電気暖房器の同要部拡大図
【図７】同従来の電気暖房器の同要部配線図
【符号の説明】
【００３７】
２２  ヒータ線
２５  カーペット本体（電気暖房器本体）
２９  第１発熱線
３０  耐熱絶縁体
３１    第２発熱線
３５  接続固定金具
３６  半田付け
３７  保護被覆
【図１】
2006079835.tif 000003
【図２】
2006079835.tif 000004
【図３】
2006079835.tif 000005
【図４】
2006079835.tif 000006
【図５】
2006079835.tif 000007
【図６】
2006079835.tif 000008
【図７】
2006079835.tif 000009